【事件の表示】
　平成　８年特許願第３２６９４６号「単ピン抜去治具」拒絶査定に対する審判事件〔平成１０年　６月２３日出願公開、特開平１０−１６６２８１、請求項の数（２）〕について、次のとおり審決する。
【結　論】
　原査定を取り消す。
　本件出願の発明は、特許すべきものとする。
【理　由】
第１　手続の経緯・本件発明
　本件出願は、平成８年１２月６日の出願であって、その請求項１、２に係る発明（以下「本件発明１、２」という。）は、平成１２年９月１日付け手続補正書、平成１３年７月３１日付け手続補正書及び願書に最初に添付された図面の記載からみて、その特許請求の範囲の請求項１、２に記載された以下の事項により特定されるとおりのものであると認める。
「【請求項１】外周面にテーパ部を有し、かつ、ピンを挟持する部分の間隔が調節可能な一対の把持爪と、前記テーパ部に相応するテーパ部を内周面に有するスリーブと、前記一対の把持爪を前記スリーブ内で摺動させるシャフトと、前記シャフトを駆動する倍力機構とを有し、前記倍力機構は一対のレバーから構成され、前記スリーブの先端を前記ピンが圧入固定された対象物に当接させ、前記ピンを抜去するときの反力を前記スリーブを介して前記対象物で受けるように構成され、前記一対のレバーを把持すると、前記一対のレバーの一方が回転して、前記シャフトが摺動し、前記一対の把持爪のテーバ部が前記スリーブのテーパ部に押圧されることにより、前記一対の把持爪は前記ピンを把持し、前記一対の把持爪と前記スリーブとの一方向の相対運動によって前記ピンを抜去することを特徴とする単ピン抜去治具。
【請求項２】前記一対の把持爪の内側に鋸歯状の刃を有することを特徴とする請求項１記載の単ピン抜去治具。」
　
第２　原査定の拒絶の理由及び前置報告書の概要
１　原査定の拒絶の理由の概要
　原査定の拒絶の理由の概要は以下のとおりである。
　引用例２．特開昭５９−１３４６７４号公報 
　引用例３．実願平４−３２５８０号（実開平５−８８８７７号）のＣＤ−ＲＯＭ
　引用例４．実願平２−１１００５４号（実開平４−６７９７３号）のマイクロフィルム
　引用例５．特開平８−１４１９２９号公報
　引用例２に記載の発明(特許請求の範囲、第３〜９図等参照)において、挟持体４(本件出願の「把持爪」に相当)の内側に鋸歯状の刃を設けることは、単なる本件出願前の周知技術(例えば、引用例３参照)の付加に過ぎない。
　手動で引き抜きを行う工具において、引き抜き力を高めることは当然の課題であるから、当該技術分野において、単なる本件出願前に周知技術に過ぎない倍力機構(例えば、引用例４、５参照)を、引用例２に記載の発明に設けることに、格別の困難性を見いだせない。
　したがって、本件発明１、２は、その出願前日本国内において頒布された刊行物である引用例２〜５に記載された発明に基づいて、その出願前にその発明の属する技術の分野における通常の知識を有する者が容易に発明をすることができたものであるから、特許法第２９条第２項の規定により特許を受けることができない。
２　前置報告書の概要
　特許法第１６２条の規定による審査（前置審査）における報告書の概要は、以下のとおりである。
　引用例１．特開平８−８０３２号公報
　引用例２、３は、原査定の拒絶の理由に引用された引用例２、３と同じものである。
　引用例１に記載の発明(図１〜３等参照、以下「引用発明」という)の「ピン指１２」、「スライドドラム１１」は、本件出願の「把持爪」、「スリーブ」に相当する。
　引用発明において、把持爪の内側に鋸歯状の刃を設けることは、単なる本件出願前の周知技術(例えば、引用例３参照)の付加に過ぎない。
  請求人は、スリーブの先端をピンが圧入固定された対象物に当接させ、前記ピンを抜去するときの反力を前記スリーブを介して前記対象物で受けるように構成する点について、引用例１及び周知技術の証拠として提示した引用例３には何ら記載されていないことから、本件発明１、２は容易に発明をできたものではない旨主張している。
　しかしながら、上記点については、単なる本件出願前の周知の技術(例えば、引用例２参照)に過ぎず、また、その効果は、該周知の技術から容易に予想し得る程度のものであるから、請求人の上記主張は採用できない。
　したがって、本件発明１、２は、その出願前日本国内において頒布された刊行物である引用例１〜３に記載された発明に基づいて、その出願前にその発明の属する技術の分野における通常の知識を有する者が容易に発明をすることができたものであるから、特許法第２９条第２項の規定により特許を受けることができない。
　
第３　引用例記載の技術的事項
１　引用例１記載の技術的事項
　引用例１の項目【０００８】〜【００１６】には、以下のとおり記載されている。
「【０００８】
【実施例】以下、本発明の一実施例を図に基づいて説明する。図１は本発明に係るピンハンドの断面図、図２は同じくピン指の全体斜視図である。これらの図において、全体を符号１０で示すピンハンドは、有底円筒状のスライドドラム１１と、ピン把持部材としての中空状のピン指１２と、ピン指１２内に嵌挿されたコイルスプリング１６と、ピン４と頭部に当接してピン４を差点穴３内に挿入するピン挿入シャフト２３と、ソレノイドを構成する電磁コイル１８とから概略構成されている。スライドドラム１１の底面中央には周端面がテーパ状に形成された孔１１ａが穿設されている。
【０００９】ピン指１２の下端側には、複数条に分割され外周面に前記孔１１ａと同じ勾配のテーパ部１３ａが設けられたピン把持部１３が形成され、上端部には円筒部１４が形成され、円筒部１４に固定した滑り軸受１５により、前記スライドドラム１１がピン指１２に対してその軸心方向に移動自在となっている。ピン指１２は図２に詳細を示すように、ピン把持部１３の根元部である上端側が薄肉状に形成されて、ピン把持部１３が半径外側方向に開くように弾性を有している。コイルスプリング１６によりスライドドラム１１がＡ方向に付勢され、これにより孔１１ａがテーパ部１３ａと係合してピン把持部１３を半径方向に閉じる。１７はスライドドラム１１の上端面に電磁コイル１８に対向するように固定されたアーマチュアである。１９はベース、２０は挿入ブロック、２１はベース１９と挿入ブロック２０との間に介装された挿入検出ばね、２２は挿入センサである。ピン挿入シャフト２３は、前記ピン指１２の中空部に嵌挿され、中央部にピン把持部材１２の円筒部１４と係合する段部２３ａとベース１９と係合する段部２３ｂとが形成されるとともに、上端部に前記挿入センサと対向する鍔部２３ｃが形成されている。
【００１０】次に、このように構成されたピンハンドによるピンの把持動作を説明する。電磁コイル１８に電流が供給されないと、アーマチュア１７が図１に示すように解放されている。アーマチュア１７が解放、すなわち電磁コイル１８から離間していると、コイルスプリング１６に対する拘束力がなくなり、コイルスプリング１６のばね力によりスライドドラム１１を下方に押し下げる。このばね力はスライドドラム１１の孔１１ａとピン指１２のテーパ部１３ａとを係合させ、ピン指１２のピン把持部１３を半径方向内方に押し狭めてピン４の小径部６を把持するように機能する。
【００１１】一方、ピン４の頭部にはピン挿入シャフト２３が当接している。この状態で挿入ブロック２０が、下方すなわちピン４の挿入方向に移動すると、その移動は挿入検出ばね２１に伝達される。ここで、挿入検出ばね２１はマトリックスボード２にピン４を挿入するときの差点孔３との間に生じる摩擦等に起因する挿入力を上回るようなプリロードを与えて設置されている。このため挿入検出ばね２１は変形せずに、挿入ブロック２０の移動をベース１９に伝達する。段部２３ｂでベース１９と係合しているピン挿入シャフト２３は、ベース１９の移動が伝達されて、ピン指１２がピン４を把持したままで、ピン挿入シャフト２３はピン４の頭部を押し下げてピン４を差点孔３内に挿入する。
【００１２】ピン４の鍔部５がマトリックスボード２の表面に当接すると、ピン４の挿入方向の前進は阻止されて停止する。ピン４が停止状態となっても、さらに挿入ブロック２０が下方に移動を継続すると、ピン４が停止したことでピン挿入シャフト２３も前進を停止し、前進を継続する挿入ブロック２０の位置ずれは挿入検出ばね２１の撓みとして蓄積される。挿入検出ばね２１が撓むと、挿入ブロック２０に一体的に配設されている挿入センサ２２とピン挿入シャフト２３の鍔部２３ｃとの間隙が減少する。挿入センサ２２はこの間隙の変化を検知してピン４のマトリックスボード２への挿入完了か、他のトラブルによる挿入不可現象かを検出して挿入ブロック２０の前進を停止する。
【００１３】制御系では、挿入センサ２２からの情報をもとに、挿入ブロック２０の所期位置からの移動量を検出することで、ピン４の挿入が無事完了したか、トラブルによる挿入不可かの判断を行うように設定する。挿入完了の場合には、電磁コイル１８に通電すると、アーマチュア１７が電磁コイル１８に吸引される。アーマチュア１７が吸引されて上方に移動すると、アーマチュア１７が一体化されたスライドドラム１１が上方に引き上げられ、スライドドラム１１の孔１１ａと係合していたピン指１２のテーパ部１３ａが解放されて、ピン指１２の拘束状態が解放されて、ピン把持部１３の半径外側に開く弾性変形により、ピン４はピン指１２から解放される。ピン４を解放後に、挿入ブロック２０が後退することで、マトリックスボード２へのピン４の挿入が完了する。ピン４をマトリックスボード２から引き抜くときの動作も、上述した動作の組み合わせで行われる。なお、制御系がピン４の挿入トラブルと判断した場合には、ピン指１２はピン４を把持したままで挿入ブロック２０を後退させる。
【００１４】図３は本発明の第２および第３の実施例を示し、同図（ａ）における第２の実施例においては、スライドドラム１１の孔１１ａとピン指１２のテーパ部１３ａとの係合部の摩擦力を低減するために、テーパ部１３ａにリング状の突起１３ｂを設けたものである。同様に同図（ｂ）における第３の実施例においては、スライドドラム１１の孔１１ａとピン指１２のテーパ部１３ａとの係合部の摩擦力を低減するために、孔１１ａにリング状の突起１１ｂを設けたものである。
【００１５】図４は、上述したピンハンド１０を用いた本発明に係るピン挿抜装置の側面図である。同図において、２５は駆動モータ、２６は駆動モータ２５のモータプーリ、２７はモータプーリ２６とボールねじ機構２９のプーリ２８間に張設された駆動伝達用の歯付きベルト、３０はボールねじ軸、３１はボールナットである。３２は局内配線用のボックス（図示せず）のベースに直結したベースアーム３３に固定されたガイドの固定部で、ガイドのスライド部材３４が矢印Ｂ方向に移動自在に支持されており、スライド部材３４に取り付けられたピンハンド１０もＢ方向、すなわち、ピン指のピン把持部１３がマトリックスボード２に対して接近および離間自在となっている。スライド部材３４とボールナット３１とは連結バー３５によってピンハンド１０の移動方向Ｂに対して直交する方向に並設されるとともに、ボールねじ機構２９と駆動モータ２５も同方向に並設され、これらピンハンド１０の移動方向Ｂの全長、スライド部材３４のガイド方向Ｂの全長、ボールねじ機構２９および駆動モータ２５の高さ方向の全長をほぼ同一に形成している。このような構成とすることにより、マトリックスボード２の表面に対してその直交する方向、すなわち高さ方向を低くすることができ、限られた局内配線用のボックス内にも収納することが可能となる。
【００１６】次に、このような構成のピン挿抜装置のピン挿抜動作を説明する。駆動モータ２５が回転すると、回転力はモータプーリ２７に張設されている歯付きベルト２７を介してボールねじ機構２９のプーリ２８を回転駆動する。回転力はボールねじ軸３０を介してボールねじ用ナット３１を上下に直線移動させる。ボールねじ用ナット３１に与えられた直線駆動力は、ボールねじ用ナット３１に連結されている連結バー３５に伝達され、ピンハンド１０をＢ方向に移動させ、上述したピンハンド１０のピン把持部１３によるピン４のマトリックスボード２への挿抜動作が行われる。」
２　引用例２記載の技術的事項
　引用例２には、以下のとおり記載されている。
（１）特許請求の範囲
「（１）先端部に形成された先細の円錐状テーパ部が軸心方向に弾性変形可能に分割された筒形挾持体、この挾持体の外周に該挾持体に対し相対的に移動可能に嵌合し且つ上記円錐状テーパ部に対向する円錐状テーパ部が形成された筒形保持体、上記挾持体を上記保持体に対し相対的に移動させる第１の操作体、上記保持体を上記挾持体に対し相対的に移動させる第２の操作体を備えてなる把持具。」
（２）第２頁左上欄第１２行〜左下欄第１６行
「以下、この発明の一実施例を図について説明する。第８図、第４図において（２）（３）はワークとそれを固着している保持板、（４）は第５図に示すように先端先細の円錐状テーパ部（４ａ）が軸方向に割られ、軸心方向へ弾性変形が容易にできる筒形の挾持体（以下チャックという）、（５ａ）（５ｂ）は摩擦係数の高いゴム状の緩衝物でチャック（４）内面に接着されワーク（２）の保護を行う。（６）は先端部にテーパ部（４ａ）と対向するテーパ部（６ａ）を持つ保持体（以下、ホルダーという）である。・・・ここで、押し金（９）、連結棒（１０）にてチャック（４）を操作する第１の操作体を構成し、継手（７）、レバ−（１７）にてホルダー（６）を操作する第２の操作体を構成している。・・・
　次に本発明による工具の使用方法について説明する。第３図のようにガイド筒（１５）を保持板（３）に当ててセットし、次に押し金（９）を押しだすと、チャック（４）とホルダー（６）とのテーパ関係によりチャック（４）の先端はすぼまりワーク（２）をつかむ。その状態でチャック（４）とワーク（２）間には初期つかみ力が発生してバネ（１３）によっても滑らない状態になる。次にレバー（１７）、（１８）のスパンを縮める方向に握ぎると第４図のようにチャック（４）とホルダー（６）との滑りにより、ワーク（２）のつかみ力は更に増し、ワーク（２）とチャック（４）は滑らず、ワーク（２）を保持板（３）より抜き取ることができる。」
３　引用例３記載の技術的事項
　引用例３の明細書第６頁第２３行〜第８頁第２５行には、以下のとおり記載されている。
「 図１は本考案の第１の実施例によるコンタクト引抜き工具を示し、（ａ）は正面図、（ｂ）は底面図、図２は図１に示すコンタクト引抜き工具を示し、（ａ）は平面図、（ｂ）は側面図、図３は図１に示すコンタクト引抜き工具の断面図、図４は図１に示すコンタクト引抜き工具の要部の構成略図である。
【００１０】
　図１乃至図４を参照して、本実施例のコンタクト引抜き工具１は、本体２と、固定取手３と、可動取手４と、押し具５と、一対の把持具６とからなる。
【００１１】
　本体２は、略台形を呈する。この本体２の一側縁に略棒杆状の固定取手３が一体に設けられている。
【００１２】
　可動取手４は、回転軸４０によって本体２に回動自在に取り付けられている。これにより、可動取手４は、固定取手３に対して接近及び離隔自在となっている。回転軸４０の両端部には、抜け止め用のＥ形止め輪４１が装着されている。可動取手４と固定取手３との間には、バネ４２が配置されている。このバネ４２により、可動取手４は、固定取手３から離れる方向に付勢されている。
【００１３】
　押し具５は、本体２に一方向に往復動自在に装着されている。押し具５は、一端部にカム５０を有している。この押し具５は、リンク５１により可動取手４に連結されている。リンク５１は、その一端を回転軸５２により押し具５に枢着され、他端を回転軸５３により可動取手４に枢着されている。回転軸５２の両端には、Ｅ形止め輪５４が、回転軸５３の両端には、Ｅ形止め輪５５が、夫々装着されている。このリンク５１によって、可動取手４の回動が押し具５に伝達され、押し具５は、上記一方向に往復動するように成っている。また、押し具５と本体２との間には、バネ５６が配置されている。このバネ５６により、押し具５は、本体２から離れる方向に付勢されている。
【００１４】
　把持具６は、略平板状であり、その一端部にカム５０と係合するカム面６０を有し、他端部にプリント基板のスルーホールに圧入されたコンタクトを挟む挟み部６１を有する。把持具６は、対を成し、夫々、回転軸６２により本体２に回動自在に取り付けられている。この回転軸６２の軸方向は、押し具５の往復動方向に対して直角であり、この回転軸６２を中心にして一対の把持具６は開閉するように成っている。回転軸６２の両端には、Ｅ形止め輪６３が装着されている。挟み部６１のコンタクトに接する部分は、鋸歯状に形成されており（図６参照）、コンタクトを引き抜く際に挟み部６１がコンタクトに食い込むように成っている。また、把持具６の挟み部６１から回転軸６２までの距離よりも、把持具６のカム面６０から回転軸６２までの距離の方を長く設定してある。これにより、カム面６０に加わる力が僅かでも、テコの原理によりコンタクトを強く把持できるように成っている。
【００１５】
　次ぎに、本実施例の動作を図面に基づいて説明する。
【００１６】
　図５は図１に示すコンタクト引抜き工具の使用状態を示す正面図で、（ａ）はコンタクト引抜き前の状態を示し、（ｂ）はコンタクト引抜き後の状態を示し、図６は図１に示すコンタクト引抜き工具の要部の動作を示す構成略図で、（ａ）はコンタクトを挟む前の状態を示し、（ｂ）はコンタクトを挟んだ状態を示し、（ｃ）はコンタクトを引き抜いた状態を示す。尚、図６図において、押し具は、便宜上、９０°位置をずらして書いてある。【００１７】
　図４乃至図６を参照して、先ず、図５（ａ）及び図６（ａ）に示すように、コンタクト引抜き工具１をプリント基板８０上に固定されたコネクタ７０の上方に位置させ、コンタクト７２の両側に一対の把持具６が来るようにする。次ぎに、固定取手３及び可動取手４を握って可動取手４を固定取手３の方へ移動させると、図６（ａ），（ｂ）に示すように、押し具５がプリント基板８０の方へ移動すると伴に、図４に示すように、押し具５のカム５０が二つのカム面６０の間に入り、カム５０は、カム面６０を押圧する。この結果、一対の把持具６は回転軸６２を中心にして回動し、図６（ｂ）に示すようにコンタクト７２を把持する。更に、可動取手４を固定取手３の方へ回動させると、図６（ｃ）に示すように、押し具５はプリント基板８０を押圧し、この押圧力の反発力により、把持具６が上昇し、この結果、図５（ｂ）に示すように、コンタクト７２が引き抜かれる。」
４　引用例４記載の技術的事項
　引用例４には、以下のとおり記載されている。
（１）明細書第３頁第１２行〜第４頁第２行
「上記目的を達成するために、本考案のプーリ等の引抜き工具は、上端に回動操作部（１ａ）を設けた螺杆（１）に上部回動部材（３）と下部回動部材（４）とを螺合させ、下部回動部材（４）に左右一対のレバー（９）（９）の下端を枢着（１１）（１１）すると共に該レバー（９）（９）の適所にプーリ等に対する係止フック部（１３）を有する左右一対の腕杆（１２）（１２）の上端を回動自在に枢着（１４）（１４）し、さらに、前記上部回動部材（３）に遊嵌部材（５）を平面方向に回動自在に支持させると共にこの遊嵌部材（５）と前記レバー（９）（９）の上端とをリンク（７）（７）を介して屈折自在に連結した構造を有するものである。」
（２）明細書第４頁末行〜第５頁第７行
「この引き上げ力、即ち、プーリ（ｂ）に対する引抜力は、・・・下部回動部材（１２）の上昇力を倍増させた引抜力として腕杆（１２）に作用し、プーリ（ｂ）の抜き取りが軽快に行えるものである。」
５　引用例５記載の技術的事項
　引用例５には、以下のとおり記載されている。
（１）特許請求の範囲の請求項１
「【請求項１】下方に延設した支脚を有する枠体と、枠体内に昇降動自在に配装され、主体部前側に下向きに挟持部を延設し、挟持部から離して主体部後側に操作部を上向きに延設した第１の挟持体と、第１の挟持体に交叉させて第１の挟持体の主体部に枢着され、第１挟持体の挟持部に対向する挟持部と第１操作体の操作部に対向する操作部を有する第２の挟持体と、第１の挟持体の操作部に連係して枠体に枢着され、操作ハンドルを有し、ハンドル操作で所定の角度を回動して第２の挟持体の閉動と第２の挟持体を第１の挟持体とともに一体的に昇降動させる作動部材を備えたことを特徴とする刃板片引き抜き装置。」
（２）項目【００１２】
「【００１２】
 【作用】請求項１に係る刃板片引き抜き装置によれば、第１および第２の挟持体の挟持部間に被引き抜き刃板片上を挿入して装置を台板上に置き、操作ハンドルを押し下げるように操作すると、作動部材に連動して第２の挟持体が閉動して両方の挟持体の挟持部で被引き抜き刃板片を挟持し、このまま両方の挟持体が引き上げられて刃板片は引き抜かれる。このときの引き抜き反力は支脚を介して台板で受け止められので、操作ハンドルを押し下げる操作だけで刃板片は貫通溝孔の真上に作業の巧拙なく確実に引き抜かれる。」
（３）項目【００２９】
「【００２９】
【発明の効果】上記構成からなるこの発明によれば、第１および第２の挟持体の挟持部の間に被引き抜き刃板片を挿入するようにして装置を台板上に立て、操作ハンドルを操作するだけで、第２の挟持体が閉動して被引き抜き刃板片を挟持し、そのまま第１および第２の挟持体を引き上げて貫通溝孔の真上に刃板片を引き抜くから、刃板片の大きさや台板に対する植設摩擦の大きさになどに関係なく、どのような刃板片も確実かつ簡単に引き抜かれる。また、操作ハンドルの操作は一種の倍力装置として被引き抜き刃板片の挟持部に伝達されるから、誰でも作業上の巧拙なく使用できる。さらに、操作ハンドルの操作は刃先から離れた高い位置でなされるから、手先が刃先に当たるような危険もなく作業を安全に能率よく遂行できる。」
　
第４　対比、当審の判断
１　本件発明１について
　本件発明１は、「外周面にテーパ部を有し、かつ、ピンを挟持する部分の間隔が調節可能な一対の把持爪と、前記テーパ部に相応するテーパ部を内周面に有するスリーブ」（以下「特定事項Ａ」という。）を有することを前提とした上で、「前記スリーブの先端を前記ピンが圧入固定された対象物に当接させ、前記ピンを抜去するときの反力を前記スリーブを介して前記対象物で受けるように構成」（以下「特定事項Ｂ」という。）され、「一対の把持爪のテーバ部が前記スリーブのテーパ部に押圧されることにより、前記一対の把持爪は前記ピンを把持し、前記一対の把持爪と前記スリーブとの一方向の相対運動によって前記ピンを抜去する」ようにした（以下「特定事項Ｃ」という。）ものである。
　一方、引用例１には、外周面にテーパ部を有し、かつ、ピンを挟持する部分の間隔が調節可能な把持爪と、前記テーパ部に相応するテーパ部を内周面に有するスリーブを有する単ピン抜去治具が記載されているといえるものの、スリーブは対象物に当接してピンを抜去するときの反力を受けるものではなく、又把持爪によるピンの把持と抜去が把持爪とスリーブとの一方向の相対運動によって行われるものでもない。
　引用例２には、外周面にテーパ部を有し、かつ、ピンを挟持する部分の間隔が調節可能な把持爪と、前記テーパ部に相応するテーパ部を内周面に有するスリーブを有し、ピン抜去時の反力を対象物で受けるように対象物に当接するガイド筒を有した単ピン抜去治具が記載されているといえるものの、スリーブとガイド筒は別部材であって、スリーブが対象物に当接し、ピンを抜去するときの反力をスリーブを介して対象物で受けるように構成されたものではなく、又把持爪によるピンの把持と抜去が把持爪とスリーブとの一方向の相対運動によって行われるものでもない。、
　引用例３には、把持爪を一方向に移動させてピンを挾持し、抜去するようにした単ピン抜去治具において、抜去時の反力を押し具を介して対象物で受けるようにし、且つ把持爪の内側に鋸歯状の刃を有した単ピン抜去治具が記載されているといえるものの、把持爪の周囲にスリーブを有するものではなく、当然、把持爪とスリーブにテーパ部を有するものではない。
　引用例４には、倍力機構を使用してプーリ等を引き抜くことが記載されているだけであって、特定事項Ａ〜Ｃに相当するものの記載はなく、それを示唆する記載もない。
　引用例５には、一対の把持爪によって刃を挾持し、抜去時の反力を支脚を介して台板で受けるようにされ、操作ハンドルの操作が倍力機構によってなされた刃片引き抜き装置が記載されているものの、把持爪の周囲にスリーブを有するものではなく、当然、把持爪とスリーブにテーパ部を有するものではない。
　結局、引用例１〜５には、特定事項Ａ、及び特定事項Ｃと類似の事項について記載されているといえるものの、特定事項Ａを有することを前提とした特定事項Ｂに相当する事項については記載も示唆もされていない。
　そして、本件発明１は、特定事項Ａ〜Ｃをその発明特定事項とすることにより、「一対の把持爪１１，１２のテーパ部１１ａ，１２ａがスリーブ１のテーパ部１ａに押圧されることにより、一対の把持爪１１，１２は一方向の運動でピン（端子２０）を確実にしかもスムーズに把持抜去することができ、また、治具がコンパクトに構成される。」という引用例１〜５記載のものにない格別の効果を奏するものである。
　したがって、本件発明１が、引用例１〜５記載の技術的事項に基づいて当業者が容易に発明をすることができたものとすることはできない。
　
２　本件発明２について
　本件発明２は、本件発明１に従属し、さらに技術的限定が加えられたものであるから、本件発明１が引用例１〜５記載の技術的事項に基づいて当業者が容易に発明をすることができたものとすることができない以上、本件発明２も引用例１〜５記載の技術的事項に基づいて当業者が容易に発明をすることができたものとすることはできない。
　
第５　むすび
　以上のとおりであるから、本件出願については、原査定の拒絶の理由によって拒絶すべきものとすることはできない。
　また、他に本件出願を拒絶すべき理由を発見しない。
　よって、結論のとおり審決する。